(57)【要約】      （修正有）【課題】既存の建屋に、簡単に設置できる空気調和装置を提供する。【解決手段】建屋１０の窓１５に熱源側ユニット２０を配置するとともに、屋内１１に利用側ユニット２１を配置し、各ユニットを接続する冷媒配管２２が前記熱源側ユニット２０の前記屋内側から延出して前記利用側ユニット２１に接続されているため、冷媒配管２２の配管長を短縮できるとともに、冷媒配管２２の取り回しを簡単に行うことができ、既存の建屋１０に空気調和装置１００を簡単に設置できる。また、設置後の熱源側及び／又は利用側ユニット、並びに、これらユニットを接続する冷媒配管等のメンテナンスやサービスを建屋の内部で行うことができる。【選択図】図１
2011112342.tif 000002
【特許請求の範囲】
【請求項１】
建屋の窓に熱源側ユニットを配置するとともに、屋内に利用側ユニットを配置し、各ユニットを接続する冷媒配管が前記熱源側ユニットの前記屋内側から延出して前記利用側ユニットに接続されていることを特徴とする空気調和装置。
【請求項２】
前記熱源側ユニットは、給気口及び排気口を屋外に向けて前記建屋の窓に配置されることを特徴とする請求項１に記載の空気調和装置。
【請求項３】
前記建屋は、屋内に前記利用側ユニットが配置される居室と、この居室と外壁との間に形成される非空調室とを備え、前記熱源側ユニットから延びる前記冷媒配管は、前記非空調室の天井空間を通じて前記利用側ユニットに接続されることを特徴とする請求項１または２に記載の空気調和装置。
【請求項４】
前記熱源側ユニットは、少なくとも前記屋内に露出するユニットケースの一面に着脱可能なパネルを備えることを特徴とする請求項１乃至３のいずれかに記載の空気調和装置。
【請求項５】
前記熱源側ユニットは、天井から吊り下げられて前記建屋の窓に配置されたことを特徴とする請求項１乃至４のいずれかに記載の空気調和装置。
【請求項６】
前記熱源側ユニットは、床上に配置された台座、または窓枠に載置されて前記建屋の窓に配置されたことを特徴とする請求項１乃至４のいずれかに記載の空気調和装置。
【発明の詳細な説明】
【技術分野】
【０００１】
本発明は、熱源側ユニットと利用側ユニットとを備える分離型の空気調和装置に関する。
【背景技術】
【０００２】
一般に、ビル等の建屋に設置される空気調和装置として、熱源側ユニット機と利用側ユニットとを備える分離型の空気調和装置が知られている（例えば、特許文献１参照）。この種の空気調和装置では、熱源側ユニットを、例えば建屋の屋上等、屋外の所定の場所に設置し、利用側ユニットを屋内の所定の壁面等に設置し、各ユニットを冷媒配管で接続して構成される。
【先行技術文献】
【特許文献】
【０００３】
【特許文献１】特開２００５−３０８２８８号公報
【発明の概要】
【発明が解決しようとする課題】
【０００４】
ところで、近年、この種の空気調和装置を、学校の校舎等の既存の建屋に設置されるケースが増加している。この場合、学校等の施設では、授業時間を確保するため、空気調和装置の設置を簡単に行い、工期を短縮することが望まれている。
しかしながら、従来のものでは、熱源側ユニットは、屋上や校舎横の地面等の屋外に設置されるため、熱源側ユニットと利用側ユニットとを接続する冷媒配管が長くなるととともに、外壁に冷媒配管が通る貫通孔を設ける必要があり、冷媒配管の取り回しが煩雑になり、その分、工期が長くなるといった問題があった。
本発明は、上述した事情に鑑みてなされたものであり、既存の建屋に、簡単に設置できる空気調和装置を提供することを目的とする。
【課題を解決するための手段】
【０００５】
上記目的を達成するために、本発明は、建屋の窓に熱源側ユニットを配置するとともに、屋内に利用側ユニットを配置し、各ユニットを接続する冷媒配管が前記熱源側ユニットの前記屋内側から延出して前記利用側ユニットに接続されていることを特徴とする。
【０００６】
この構成において、前記熱源側ユニットは、給気口及び排気口を屋外に向けて前記建屋の窓に配置される構成としても良い。また、前記建屋は、屋内に前記利用側ユニットが配置される居室と、この居室と外壁との間に形成される非空調室とを備え、前記熱源側ユニットから延びる前記冷媒配管は、前記非空調室の天井空間を通じて前記利用側ユニットに接続される構成としても良い。
【０００７】
また、前記熱源側ユニットは、少なくとも前記屋内に露出するユニットケースの一面に着脱可能なパネルを備える構成としても良い。また、前記熱源側ユニットは、天井から吊り下げられて前記建屋の窓に配置された構成としても良い。また、前記熱源側ユニットは、床上に配置された台座、または窓枠に載置されて前記建屋の窓に配置された構成としても良い。
【発明の効果】
【０００８】
本発明によれば、建屋の窓に熱源側ユニットを配置するとともに、屋内に利用側ユニットを配置し、各ユニットを接続する冷媒配管が前記熱源側ユニットの前記屋内側から延出して前記利用側ユニットに接続されているため、冷媒配管の配管長を短縮できるとともに、冷媒配管の取り回しを簡単に行うことができ、既存の建屋に空気調和装置を簡単に設置できる。また、設置後の熱源側及び／又は知用側ユニット、並びに、これらユニットを接続する冷媒配管等のメンテナンスやサービスを建屋の内部で行うことができる。
【図面の簡単な説明】
【０００９】
【図１】本実施形態にかかる空気調和装置を建屋に配置した状態を示す側断面図である。
【図２】熱源側ユニットを屋内側から見た斜視図である。
【図３】熱源側ユニットを屋外側から見た斜視図である。
【図４】熱源側ユニットの内部構造を示す斜視図である。
【図５】別の実施形態にかかる熱源側ユニットの斜視図である。
【図６】Ａは熱源側ユニットの上面図、Ｂは、ＡのＢ−Ｂ断面図、Ｃは、ＡのＣ−Ｃ断面図である。
【図７】図５の熱源側ユニットの別の内部構成を示す図であり、Ａは熱源側ユニットの上面図、Ｂは、ＡのＢ−Ｂ断面図、Ｃは、ＡのＣ−Ｃ断面図である。
【図８】別の実施形態にかかる熱源側ユニットの配置構成を示す斜視図である。
【図９】別の実施形態にかかる熱源側ユニットの配置構成を示す斜視図である。
【発明を実施するための形態】
【００１０】
以下、図面を参照して本発明の実施形態について説明する。
図１に示すように、空気調和装置１００は、例えば、学校の校舎（建屋）１０に設置されるものであり、熱源側ユニット２０と利用側ユニット２１から構成されており、冷媒配管２２により接続された冷媒回路に冷媒を流して、冷房運転および暖房運転を行う。
校舎１０は、屋内に教室（居室）１１と廊下（非空調室）１２とを備え、この廊下１２は、教室１１と校舎１０の外壁１０Ａとの間に配置されている。屋内は、外壁１０Ａと略平行に設けられる仕切り壁１３により、教室１１と廊下１２とに区分けされ、この仕切り壁１３には、教室１１と廊下１２とを連通する引き戸１４や窓（図示せず）が形成されている。
利用側ユニット２１は、教室１１の天井部１１Ａに吊り下げて配置され、略箱状のユニットケース２１Ａ内に利用側熱交換器及び送風機（図示せず）等を収容して構成される。そして、利用側ユニット２１は、送風機を介して、教室１１内の空気をユニットケース２１Ａ内に吸込み、利用側熱交換器にて熱交換した後に、再び教室１１内に吹き出して教室１１内の冷房または暖房運転を行う。
【００１１】
外壁１０Ａには、図２に示すように、屋内への採光及び換気を行うための横引き窓１５が横並びに設けられている。横引き窓１５は、腰高の位置で、略一間の幅に形成された枠体１６と、この枠体１６にスライド可能に配置された一対の窓体１７、１７とを備え、本実施形態では、各窓体１７は略半間の幅に形成されている。
熱源側ユニット２０は、半間幅の窓体１７に収まる大きさに形成された略箱状のユニットケース２５を備え、横引き窓１５の一つに配置されている。具体的には、枠体１６には、半間幅に形成される取付板部材１８と半間幅の嵌め殺し窓１９とが横並びに配置される。取付板部材１８には、ユニットケース２５と略同等の大きさを有する開口部１８Ａが形成され、この開口部１８Ａにユニットケース２５が嵌められる。また、熱源側ユニット２０は、廊下１２の天井部１２Ａから吊ボルト２６を介して吊り下げられた載置台２７に載せて固定される。
【００１２】
本構成では、熱源側ユニット２０は、図３に示すように、ユニットケース２５の一部を屋外に露出させて配置され、この屋外に露出したユニットケース２５の前面には、第一給気口２８と排気口２９とが屋外に向けて形成されている。また、ユニットケース２５の側面には、第一給気口２８の側方に複数の第二給気口３０、３０・・・が形成されている。
これら第一給気口２８及び第二給気口３０には、上面視で略コ字形状に折り曲げられた熱源側熱交換器３１が配置される。第一給気口２８及び第二給気口３０からユニットケース２５内に吸い込まれる空気は、熱源側熱交換器３１によって熱交換され、排気口２９を通じてユニットケース２５から排出される。また、排気口２９には、排気の風向を自在に変更できる風向板２９Ａが設けられている。
このように熱源側ユニット２０は、ユニットケース２５の屋外に露出した一面に給気口と排気口とを備えることにより、一面給排を可能とするため、ユニットケース２５の一部を屋外に露出した状態で、外壁１０Ａの窓に配置することができ、熱源側ユニット２０の配置レイアウトのバリエーションを高めることができるとともに、当該熱源側ユニット２０を容易に配置することができる。
【００１３】
また、熱源側ユニット２０は、図２に示すように、ユニットケース２５の屋内側の側面から冷媒配管２２が延出される構成となっている。この冷媒配管２２は、図２に示すように、廊下１２及び教室１１の天井裏空間８を通じて、教室１１に導かれ、利用側ユニット２１に接続されている。このように、冷媒配管２２は、校舎１０の屋内空間にて熱源側ユニット２０と利用側ユニット２１とを接続しているため、校舎１０の外壁１０Ａ等に、冷媒配管２２を貫通させるための孔を設ける必要がなく、当該冷媒配管２２の取り回しが容易になる。このため、既存の校舎１０への空気調和装置１００の設置作業が軽減されることにより、工期を大幅に短縮することが可能となる。
また、熱源側ユニット２０は、図１に示すように、利用側ユニット２１が配置された教室１１に隣接した廊下１２の窓１５に配置されるため、これら各ユニットを接続する冷媒配管２２の配管長を短縮することができ、配管施工が容易となるとともに、流路抵抗の減少に伴って圧縮機の負荷の低減を図ることができる。また、空気調和装置１００を設置後の熱源側ユニット２０及び／又は知用側ユニット２１、並びに、これら各ユニットを接続する冷媒配管２２等のメンテナンスやサービスを校舎１０の内部から容易に行うことができる。
【００１４】
熱源側ユニット２０は、図２に示すように、ユニットケース２５の屋内側に露出する面に、着脱自在な背面パネル２５Ａを備える。この背面パネル２５Ａは、ユニットケース２５の背面と同等の大きさに形成され、当該背面パネル２５Ａを外すことにより、図４に示すように、ユニットケース２５の内部が大きく露出される。
ユニットケース２５内には、上記した熱源側熱交換器３１の他に、底面上に立設された圧縮機３２と、この圧縮機３２に隣接して配置される送風機３３と、この送風機３３の背面側（背面パネル側）に設けられて、空気調和装置１００を制御する制御基板などの各種電装ユニットを配設した電装ボックス３４が配置される。このため、背面パネル２５Ａを取り外すことによって、作業者が廊下１２からユニットケース２５内の部品のメンテナンス作業を容易に行うことができ、高所作業を伴うことなく、熱源側ユニット２０のメンテナンスを安全に行うことができる。
送風機３３は、図４に示すように、ユニットケース２５の背面側に吸込口３３Ａが形成されるシロッコファンであり、背面側からのメンテナンスを容易にしている。また、送風機３３の上部には、吹出口３３Ｂが形成され、この吹出口３３Ｂは、ダクト３５を介して、排気口２９に接続されている。
【００１５】
本実施形態によれば、校舎１０の窓１５に熱源側ユニット２０を配置するとともに、教室１１に利用側ユニット２１を配置し、各ユニットを接続する冷媒配管２２が熱源側ユニット２０の屋内側に露出した側面から延出して利用側ユニット２１に接続されているため、この冷媒配管２２の配管長を短縮できるとともに、冷媒配管２２の取り回しを簡単に行うことができ、既存の校舎１０に空気調和装置１００を簡単に設置できる。
また、熱源側ユニット２０は、給気口２８、３０及び排気口２９を屋外に向けて校舎１０の窓１５に配置されるため、ユニットケース２５の一部を屋外に露出した状態で、外壁１０Ａの窓１５に配置することができ、熱源側ユニット２０の配置レイアウトのバリエーションを高めることができるとともに、当該熱源側ユニット２０を容易に配置することができる。
また、校舎１０は、屋内に利用側ユニット２１が配置される教室１１と、この教室１１と外壁１０Ａとの間に形成される廊下１２とを備え、熱源側ユニット２０から延びる冷媒配管２２は、廊下１２の天井裏空間８を通じて利用側ユニット２１に接続されるため、既存の校舎１０に空気調和装置１００を後付けする場合であっても、冷媒配管２２の配管長を徒に延長することなく、綺麗に冷媒配管２２を配置することができる。
更に、熱源側ユニット２０は、少なくとも屋内に露出するユニットケース２５の背面に着脱可能な背面パネル２５Ａを備えるため、この背面パネル２５Ａを取り外すことにより、作業者が廊下１２からユニットケース２５内の部品のメンテナンス作業を容易に行うことができ、高所作業を伴うことなく、熱源側ユニット２０のメンテナンスを安全に行うことができる。
【００１６】
次に、別の実施形態について説明する。
図５は、別の実施形態にかかる熱源側ユニット４０の斜視図である。
この熱源側ユニット４０は、上記した熱源側ユニット２０と同様に、吊ボルト４１により、廊下１２の天井部１２Ａから吊り下げられたユニットケース４２を備え、このユニットケース４２の上記横引き窓１５に対向する面には、給気口４３と排気口４４とが横並びに形成されている。
この実施形態では、給気口４３及び排気口４４には、それぞれ給気ダクト４５及び排気ダクト４６の一端が接続され、これら給気ダクト４５及び排気ダクト４６の他端が横引き窓１５に形成された開口部（図示せず）に接続されている。
本構成では、給気口４３及び排気口４４が横並びに配置されているため、排気ダクト４６から排出された空気がそのまま給気ダクト４５を介して給気口４３から吸い込まれないように、排気ダクト４６の出口には、この出口からの風を左右に偏向させる風向板４６Ａが設けられている。
【００１７】
ユニットケース４２は、略一間の幅に形成され、その分高さを縮小して形成されている。これによれば、熱源側ユニット４０を廊下１２の天井部１２Ａに配置した際に、この熱源側ユニット４０の下方の空間（廊下）を大きく確保することができ、廊下１２の空間の有効利用を図ることができる。
また、ユニットケース４２内は、図６Ａに示すように、給気口４３に連通するダクト部５０と、排気口４４に連通するユニット部５１とが形成され、ユニット部５１には、排気口４４に沿って横長に形成された熱源側熱交換器５２と、この熱源側熱交換器５２に向けて送風する一対のシロッコファン５３、５３と、これらシロッコファン５３、５３を駆動するファンモーター５４と、図６Ｂに示すように、上記熱源側熱交換器５２の下方に当該熱源側熱交換器５２から流下するドレン水を受けるドレンパン５５と、が配置されている。一方、ダクト部５０には、ユニットケース４２の角部に圧縮機５６が配置され、この圧縮機５６の下方には、図６Ｃに示すように、圧縮機５６に付着する結露水を受ける受皿５７が設けられる。この受皿５７は、ドレンパン５５より高い位置に設けられるとともに、当該受皿５７とドレンパン５５とがドレンホース５８で接続されている。これにより、受皿５７に溜まった結露水は、ドレンホース５８を通じてドレンパン５５に流入する。
【００１８】
ドレンパン５５には、図６Ｂに示すように、熱源側熱交換器５２の空気出口側に、スポンジ状の吸水性を有する吸水部材５９が配置されている。この吸水部材５９は、一端がドレンパン５５上でドレン水に浸かって配置され、他端は、熱源側熱交換器５２の風路に延在している。この構成によれば、熱源側熱交換器５２を通過した空気によって、吸水部材５９にて吸い上げられた水分の蒸発が促進され、この水分を含んだ空気が排気口４４及び排気ダクト４６を通じて屋外に排出される。このため、熱源側ユニット４０にドレン水を排出するための構成を設ける必要はなく、その分、熱源側ユニット４０をまとまりよく、コンパクトに形成することができる。
また、本構成では、図５に示すように、ユニットケース４２の下面に着脱自在に配置され、ダクト部５０に連なる第一の下面パネル４２Ａと、ユニット部５１に連なる第二の下面パネル４２Ｂとを備える。これら下面パネルを取り外すことにより、ユニットケース４２内に簡単にアクセスすることができるため、作業者が廊下１２からユニットケース４２内の部品のメンテナンス作業を容易に行うことができ、高所作業を伴うことなく、熱源側ユニット４０のメンテナンスを安全に行うことができる。
【００１９】
図６の実施形態では、ユニットケース４２内にシロッコファン５３、５３を備える構成について説明したが、これに限るものではなく、図７Ａに示すように、ユニットケース４２内にターボファン６０と、このターボファン６０を駆動させるファンモーター６１と、このターボファン６０から吹き出される空気を熱源側熱交換器６２の全幅に広げて供給するファンケーシング６３とを備える。この構成では、ファンケーシング６３の形状の変更が可能となるため、ユニット部５１に圧縮機５６と、受皿５７とを配置することができ、図７Ｂに示すように、排水口５７Ａが形成された受皿５７をドレンパン５５上に延出させることにより、ドレンホースを設けることなく、受皿５７に溜まった結露水が排水口５７Ａを通じて、ドレンパン５５に流入させることができる。また、この構成では、熱源側熱交換器６２は、く字上に折り曲げて形成されており、この折り曲げられた熱源側熱交換器６２と排気口４４との隙間に吸水部材５９を配置することができる。これにより、熱源側熱交換器５２を通過した空気によって、吸水部材５９にて吸い上げられた水分の蒸発が促進され、この水分を含んだ空気が排気口４４及び排気ダクト４６を通じて屋外に排出される。また、図７Ａ及び図７Ｃに示すように、ダクト部５０に機器が配置されないため、このダクト部５０での通風抵抗を低減することができる。
【００２０】
以上、本発明の一実施の形態について説明したが、本発明はこれに限定されるものではない。例えば、上記した実施形態では、熱源側ユニット２０、４０は、廊下１２の天井部１２Ａに吊り下げられて配置されたものであったが、これに限らず、図８に示すように、熱源側ユニット２０を廊下１２の床面１２Ｂに配置された台座７０に載置して固定しても良い。この他の構成については、上記した熱源側ユニット２０と同一であるので、同一の符号を付して説明を省略する。
台座７０は、ユニットケース２５と略同一幅に形成され、床面から窓１５の下枠に届く程度の高さを有し、台座７０の下部に高さ調整が可能な脚部７１を備える。この脚部７１の高さを調整することにより、台座７０にユニットケース２５を載置した状態で、このユニットケース２５を取付板部材１８に配置することができる。
【００２１】
また、図９に示すように、ユニットケース２５を窓１５が設けられる外壁１０Ａに固定された台７３に載置した構成としても良い。この台７３は、取付板部材１８の開口部１８Ａの下縁に配置され、連結部材７４を介して外壁１０Ａに固定されている。この構成では、簡単な構成でユニットケース２５を固定することができ、熱源側ユニット２０の配置作業を容易に行うことができる。
また、上記実施形態では、建屋として学校の校舎を例示して説明したが、これに限るものでないことは勿論である。また、居室として教室１１を例示したが、これに限るものではなく、利用側ユニット２１を職員室等に設置しても構わないことは勿論である。また、上記実施形態では、非空調室として廊下１２を例示しているが、これに限るものではなく、空調をする必要のない空間（例えば、機械室）等に熱源側ユニットを配置しても良い。
【符号の説明】
【００２２】
１０  校舎（建屋）
１０Ａ  外壁
１１  教室（居室）
１２  廊下（非空調室）
１２Ａ  天井部
１２Ｂ  床面
１６  枠体
１７  窓体
１８  取付板部材
１８Ａ  開口部
１９  嵌め殺し窓
２０  熱源側ユニット
２１  利用側ユニット
２２  冷媒配管
２５  ユニットケース
２５Ａ  背面パネル
２６  吊ボルト
２７  載置台
３１  熱源側熱交換器
３２  圧縮機
３３  送風機
４０  熱源側ユニット
４２  ユニットケース
４２Ａ  第一の下面パネル
４２Ｂ  第二の下面パネル
４３  給気口
４４  排気口
４５  給気ダクト
４６  排気ダクト
４６Ａ  風向板
５０  ダクト部
５１  ユニット部
５２  熱源側熱交換器
５３  シロッコファン
５４  ファンモーター
５５  ドレンパン
５６  圧縮機
５７  受皿
５７Ａ  排水口
５８  ドレンホース
５９  吸水部材
６０  ターボファン
６１  ファンモーター
６２  熱源側熱交換器
６３  ファンケーシング
７０  台座
７１  脚部
７３  台
１００  空気調和装置
【図１】
2011112342.tif 000003
【図２】
2011112342.tif 000004
【図３】
2011112342.tif 000005
【図４】
2011112342.tif 000006
【図５】
2011112342.tif 000007
【図６】
2011112342.tif 000008
【図７】
2011112342.tif 000009
【図８】
2011112342.tif 000010
【図９】
2011112342.tif 000011